(57)【特許請求の範囲】
【請求項１】
電気錠制御回路が実装された配線基板と、前記配線基板に給電する給電手段とが対向位置に適宜間隔を隔てて配置され、
前記配線基板と給電手段とは、壁面等の設置基部に固定されるベース部材の反対面に固定され、
かつ、前記給電手段がＡＣアダプタであり、
該ＡＣアダプタが、係止用舌片をベース部材の背面側のＡＣアダプタ装着面に緩係止されてベース部材に密着することなくがたつきのある緩装着状態で装着されるとともに、ベース部材の設置基部への固定状態において設置基部内に収容される電気錠制御装置。
【請求項２】
前記ベース部材は、正面に開放された基板収容凹部を有するとともに、
前記配線基板は基板収容凹部開放端に配置され、
かつ、前記ＡＣアダプタが、基板収容凹部の底部背面壁に配置される請求項１記載の電気錠制御装置。
【請求項３】
前記基板収容凹部の底部と側壁部の稜線部には、基板収容凹部内の暖気を外部に放出する排気用開口が開設される請求項１または２記載の電気錠制御装置。
【請求項４】
前記ＡＣアダプタは、栓刃を水平方向に向けた姿勢で保持される請求項１から３のいずれかに記載の電気錠制御装置。
【発明の詳細な説明】
【技術分野】
【０００１】
本発明は、電気錠制御装置に関するものである。
【背景技術】
【０００２】
壁面等に固定されて電気錠の施解錠を操作する電気錠制御装置としては、特許文献１に記載のものが知られている。この従来例において、電気錠制御装置は、コントロール部と、コントロール部に給電するＡＣアダプタとをコントローラに格納して形成される。
【先行技術文献】
【特許文献】
【０００３】
【特許文献１】特開２０１１-９４４６８号公報
【発明の概要】
【発明が解決しようとする課題】
【０００４】
しかし、上述した従来例において、給電手段としてＡＣアダプタを使用することにより別途電源モジュールを設計、実装する必要がないために、コスト低減、あるいは開発期間の短縮が期待できるという利点はあるものの、ＡＣアダプタはボード上に電源モジュールを実装する場合に比して、容積が大きなために装置の大型化の原因となるという問題がある。
【０００５】
本発明は、以上の欠点を解消すべくなされたものであって、給電手段としてＡＣアダプタが使用可能で、かつ、装置の大型化を招くことのない電気錠制御装置の提供を目的とする。
【課題を解決するための手段】
【０００６】
本発明によれば上記目的は、
電気錠制御回路が実装された配線基板と３、前記配線基板３に給電する給電手段とが対向位置に適宜間隔を隔てて配置され、
前記配線基板３と給電手段とは、壁面等の設置基部１に固定されるベース部材２の反対面に固定され、
かつ、前記給電手段がＡＣアダプタ４であり、
該ＡＣアダプタ４が、係止用舌片７をベース部材２の背面側のＡＣアダプタ装着面に緩係止されてベース部材２に密着することなくがたつきのある緩装着状態で装着されるとともに、ベース部材２の設置基部１への固定状態において設置基部１内に収容される電気錠制御装置を提供することにより達成される。
【０００７】
電気錠制御装置はベース部材２を挟んで反対面にＡＣアダプタ４と配線基板３とを配置して形成され、ＡＣアダプタ４からの発熱による配線基板３の温度上昇を防止するために、ＡＣアダプタ４と配線基板３との間には、適宜の間隔（断熱スペース）が設けられる。
【０００８】
ＡＣアダプタ４と配線基板３とを奥行方向に配置することにより、正面視方向の大型化を防ぐことが可能になり、さらに、ＡＣアダプタ４を設置基部１内に収容することにより、断熱スペース、およびＡＣアダプタ４の奥行方向寸法は設置基部１により吸収されるために、正面方向の突出寸法が過度に大きくなることが防がれる。
【０００９】
このような電気錠制御装置は、
前記ベース部材２は、正面に開放された基板収容凹部５を有するとともに、
前記配線基板３は基板収容凹部５の開放端に配置され、
かつ、前記ＡＣアダプタ４が、基板収容凹部５の底部背面壁に配置されるように構成することが可能で、この場合、基板収容凹部５内の空気が断熱体として機能する。
【００１０】
さらに、
前記基板収容凹部５の底部と側壁部の稜線部には、基板収容凹部５内の暖気を外部に放出する排気用開口６が開設される電気錠制御装置を構成した場合、上記基板収容凹部５内の暖気を排気用開口６から他の空気孔に抜ける対流により排気することができるために、配線基板３の温度上昇を効率的に防ぐことが可能になる。
【００１１】
上述のＡＣアダプタ４は係止用舌片７をベース部材２のＡＣアダプタ４装着面に緩係止されて装着されることにより、ＡＣアダプタ４とベース部材２との密着度が低くなるために、ＡＣアダプタ４からベース部材２への伝熱を少なくされる。
【００１２】
加えて、
前記ＡＣアダプタ４は、栓刃８を水平方向に向けた姿勢で保持される電気錠制御装置を構成した場合には、栓刃８間を架設するように埃が積層することが少なくなるために、トラッキングを有効に防止できる。
なお、本発明によれば、
壁面等の設置基部１に固定されるベース部材２の反対面に適宜間隔を隔てて電気錠制御回路が実装された配線基板３と、前記配線基板３に給電するＡＣアダプタ４とが固定され、
ベース部材２の設置基部１への固定状態において前記ＡＣアダプタ４が設置基部１内に収容される電気錠制御装置を提供することも可能である。
【発明の効果】
【００１３】
本発明によれば、装置の大型化を招くことなく、給電手段としてＡＣアダプタを使用することができる。
【図面の簡単な説明】
【００１４】
【図１】本発明を示す図で、（ａ）は壁面への設置状態を示す正面図、（ｂ）は分解斜視図である。
【図２】電気錠制御装置を示す図で、（あ）は一部を破断して示す正面図、（ｂ）は背面図である。
【図３】ＡＣアダプタ４の装着状態を示す断面図で、（ａ）は装着前を示す図、（ｂ）は装着後を示す図である。
【図４】ＡＣアダプタ４を装着した状態を示す図で、（ａ）は背面図、（ｂ）は側面図である。
【発明を実施するための形態】
【００１５】
図１以下に電気錠制御装置を示す。図示の電気錠制御装置は、壁面を設置基部１として設置されるもので、図１（ｂ）に示すように、壁面１への固定は、壁面１に開設される装着開口１ａに嵌合されて壁面１内に収容されるスイッチボックス９にベース部材２を固定して行われる。
【００１６】
図１（ａ）に示すように、設置状態において操作パネルとなる化粧パネル１０が壁面の表面に現れ、化粧パネル１０に配置される施解錠ボタン１０ａへの押下操作により図外の扉に固定される電気錠を施解錠駆動できる。また、扉、または電気錠には図外の扉開閉検知装置が装着されており、開閉検知装置が開扉状態を検出した際には、化粧パネル１０の表示部１０ｂを点灯してその旨を利用者に知らせる。
【００１７】
図３に示すように、電気錠制御装置は、スイッチボックス９にネジ止めされるベース部材２と、上述した化粧パネル１０と、配線基板３と、ＡＣアダプタ４とを有し、ベース部材２には、スイッチボックス９のネジ穴９ａに螺入するビス（図示せず）が挿通するビス挿通孔２ａが設けられる。壁面１上の固定姿勢を調整することができるように、ビス挿通孔２ａは長孔状に形成される。
【００１８】
ベース部材２は、正面に開放され、奥行方向に適宜の深さを有する矩形の基板収容凹部５の周縁にフランジ部２ｂを張り出して形成され、基板収容凹部５には、適数のボード支持用突部が設けられる。
【００１９】
上記配線基板３は、電気錠制御回路が実装された基板収容凹部５とほぼ同じ大きさのプリント基板であり、基板収容凹部５の底壁５ｂとの間に適宜のスペースが形成されるように、上記ボード支持用突部５ａに支承されて基板収容凹部５の深さ方向ほぼ中央部に図外のビスを使用して固定される。
【００２０】
図２に示すように、配線基板３の裏面には給電用コネクタ３ａと信号接続用コネクタ３ｂが実装されており、ベース部材２の基板収容凹部５の底壁５ｂに開設されたコネクタ挿入開口５ｃから外部に開放される。
【００２１】
また、本例において、配線基板３と基板収容凹部５の底面との間にＬＡＮカード１１が実装され、該ＬＡＮカード１１の裏面にはＬＡＮコネクタ１１ａが実装される。ＬＡＮコネクタ１１ａの端子には端部にコネクタ１１ｃが連結されたケーブル１１ｂが接続され、ＬＡＮコネクタ１１ａへの入出力信号は、ケーブル１１ｂ、および配線基板３上に実装された図外のコネクタにプラグインされるコネクタ１１ｃを介して配線基板３に接続される（図２参照）。
【００２２】
上記配線基板３を覆うように、ベース部材２の基板収容凹部５には、セットカバー１２が固定される。セットカバー１２には、上記配線基板３の実装面に実装されるスイッチ（図示せず）に対応したスイッチボタン部１２ａと、配線基板３の実装面に実装される図示しないＬＥＤの発光光を通過させる光透過孔１２ｂとが形成される。スイッチボタン部１２ａは、利用者が押下操作を行った際のクリック感の付与、および押下操作後の戻り機能が組み込まれる。
【００２３】
上記配線基板３、およびＬＡＮカード１１への給電は、ボード上への電源回路の実装による設計、実装作業等の手間を省くために、ＡＣアダプタ４を使用して行われる。ＡＣアダプタ４は上記ベース部材２の基板収容凹部５の底壁５ｂの背面に装着され、ＡＣアダプタ４の装着のために、ベース部材２にはフック２ｃが、ＡＣアダプタ４には側方に突出して上記フックに係止する係止用舌片７が設けられる。
【００２４】
係止用舌片７とフックとが係止した状態において、ＡＣアダプタ４はベース部材２の壁面に対して密着することなくがたつきのある緩装着状態となり、ＡＣアダプタ４とベース部材２が圧接密着することによるＡＣアダプタ４からベース部材２への伝熱が小さく抑えられる。
【００２５】
図１、４に示すように、ＡＣアダプタ４はベース部材２への装着状態において、栓刃８が水平姿勢をとり、この栓刃８に壁内配線に接続される図外の延長コンセントが接続される。また、ＡＣアダプタ４からの出力線４ａは、配線基板３上の給電コネクタ３ａにプラグインされる。
【００２６】
さらに、上記ベース部材２には、排気用開口６と吸気用開口２ｄとが開設される。図３に示すように、吸気用開口２ｄは、基板収容凹部５内の下部側壁の底壁５ｂとの境界部に配置され、排気用開口６は、底壁５ｂの上縁隅角部に設けられる。
【００２７】
排気用開口６には、ＡＣアダプタ４の壁面からの暖気の流入を防止するとともに、ＡＣアダプタ４と基板収容凹部５との接触面を少なくしてＡＣアダプタ４から基板収容凹部５の背面壁への伝導熱量を軽減するために、基板収容凹部５内に向けて折り曲げられる折り曲げ片６ａが設けられる。
【００２８】
電気錠制御装置は、以上のように、ベース部材２上に配線基板３等をサブアッセンブルし、さらに、ＡＣアダプタ４を保持した状態でベース部材２をスイッチボックス９に固定した後、ベース部材２に化粧パネル１０を装着して完了する。図４に示すように、ベース部材２をスイッチボックス９に固定した状態で、ＡＣアダプタ４はスイッチボックス９、すなわち壁１の内部空間に収容され、壁内空間が有効に利用される。
【００２９】
また、化粧パネル１０はセットカバー１２のスイッチボタン部１２ａに対応する部位が容易に変形可能で、かつ、光透過孔１２ｂへの対応部位が透光性を有するように形成され、各々に適宜のシールの貼付、あるいは印刷が施される。
【符号の説明】
【００３０】
１        設置基部
２        ベース部材
３        配線基板
４        ＡＣアダプタ
５        基板収容凹部
６        排気用開口
７        係止用舌片
８        栓刃
【図１】
0005913861.tif 000002
【図２】
0005913861.tif 000003
【図３】
0005913861.tif 000004
【図４】
0005913861.tif 000005